(57)【特許請求の範囲】
【請求項１】
光ディスク上の目標トラックとその両側隣接トラックの３トラックに光ビームを同時に照射し、その反射光を検出し前記３トラックに記録された情報を電気信号に変換し、再生信号として提供する再生手段と、
前記再生手段から提供される前記３トラックの再生信号の周波数特性を各々補正し、トランスバーサルフィルタで構成された等化手段と、
前記等化手段の補正特性を制御する制御手段と、
前記等化手段による等化後の前記目標トラック再生信号から、等化後の両隣接トラック再生信号を減算する減算手段と、
前記減算手段による減算後の信号から記録情報を復調する復調手段と、
を具備し、前記制御手段は、
前記トランスバーサルフィルタのタップ係数群を変化させることで前記等化手段の周波数特性を補正する回路であって、
前記３トラックより再生された信号値系列を観測値系列として入力し、前記目標トラックより再生された信号値系列に対応する予め決められた信号値系列を理想値系列として有し、
前記観測値系列と前記タップ係数群の関係式であって、前記タップ係数群の一次結合で表される関係式によって求まる測定値系列と、前記理想値系列との残差の複数チャネルビットに渡る二乗和が、最小となる条件を満たすタップ係数群を一括処理により求め、前記等化手段に適用し、
前記タップ係数群の導出の際、前記目標トラックにおける既知の学習データ系列を複数チャネルビットに渡って再生した信号値系列を用い、
前記再生手段が前記目標トラックの前記学習データ系列と学習データ系列の中間を再生しているときには、直前の学習データ系列にて求めたタップ係数群の値を保持するように、前記等化手段を制御することを特徴とする光ディスク装置。
【発明の詳細な説明】
【０００１】
【発明の属する技術分野】
本発明は、ディスク状情報記録媒体を使用し、再生した信号からクロストーク成分を除去する光ディスク装置に関する。
【０００２】
【従来の技術】
光ディスクの高密度化は、線密度の増加とトラックピッチの縮小を基本として達成される。また、ディスクを再生する光学系も、高密度化と同時にビームスポツト径の縮小が要求される。ビームスポット径は、光源の波長に比例し、対物レンズの開口数（ＮＡ）に反比例する。したがって高密度化に伴い光源の波長は短波長化する必要がある。また、ディスクの基板厚を一定とすると、ディスクチルト時に発生するコマ収差は波長に反比例して増加するため、短波長化分だけコマ収差が増加することになる。ここでチルトとはビームの光軸と、ディスクの情報記録面の垂線とが成す角を示し、特に信号再生時のクロストーク増加において問題となるのはディスクラジアル方向（半径方向）のチルトである。
【０００３】
従って、高密度化によりトラックピッチが縮小されるとディスクラジアルチルト時のクロストークが急激に増加することが懸念される。
【０００４】
このような信号中に漏れ込むクロストーク成分を信号処理によって取り除く試みがこれまでになされてきた。例えば、特開平３−４０２２５に開示されている光ディスク信号再生装置では、中央トラックおよび両隣トラックの３トラックからの再生信号を同時に得ることができるようなピックアップを用い、得られた３つの再生信号を信号処理することでクロストーク成分の除去を行なっている。
【０００５】
この公知例では、３ビームによる再生信号をそれぞれ独立に周波数特性を可変できる周波数特性変換器群に入力し、中央のビームによる再生信号に対する周波数特性変換器出力と、両隣接ビームによる再生信号に対する周波数特性変換器出力とを合成して出力する。
【０００６】
これらの周波数変換器の周波数特性は、予め定められたプリアンブル信号を再生しているときは、各周波数特性変換器の出力を加算して得られる再生出力と、予め定められたプリアンブル信号系列に等しいリファレンス信号系列を用いて、ＬＭＳ適応アルゴリズムにより周波数特性変換器のタップ係数を更新する。
【０００７】
また、プリアンブル信号の再生が終了したときには、上記の再生出力と再生出力の判定器出力を用いてＬＭＳ適応アルゴリズムによりタップ係数を更新していく。
【０００８】
このように、信号処理を行なうことによりプリアンブル信号以外のデータを、クロストーク成分および符号間干渉を除去して再生することができるというものである。
【０００９】
また、他の公知例としては特開平９−３２０２００に開示されている記録情報再生装置がある。この従来の記録情報再生装置においても、中央トラックおよび両隣トラックの３トラックからの再生信号を同時に得ることができるピックアップを用い、得られた３つの再生信号を信号処理することでクロストーク成分の除去を行なっている。
【００１０】
このとき、記録媒体上のトラックから記録情報の再生を行ない、中央トラックからの第１の再生信号を得ると共に、このトラックに隣接する隣接トラックから第２の再生信号を得て、これら第１、第２の再生信号を各々サンプリングして第１サンプリング値系列及び第２サンプリング値系列に各々変換する。次に、かかる第２サンプル値系列を可変係数フィルタにてフィルタリング処理することによりクロストーク成分を求め、上記第１サンプリング値系列からこのクロストーク成分を減算したものをサンプル値系列として得る。この際、かかるサンプル値系列のデータのうち、ゼロクロスサンプル値を抽出し、このゼロクロスサンプル値が０に収束するようにＬＭＳ適応アルゴリズムを用いて上記可変係数フィルタのフィルタ係数を更新する。
【００１１】
すなわち、第１の再生信号が本来０となるべきタイミングでのサンプル値を抽出して、このサンプル値が０でない場合には、その誤差分に応じたクロストークが生じていると判断し、この誤差分に対応したサンプル値が０に収束するように可変係数フィルタのフィルタ係数を更新するのである。
【００１２】
このように更新したフィルタのタップ係数を用いた上記可変フィルタにて第１および第２のサンプル値系列をフィルタリング処理し、第１サンプル値系列から第２サンプル値系列を減算するとクロストーク成分が除去されたサンプル値系列が得られる。
【００１３】
【発明が解決しようとする課題】
上述したように、今後高密度化が進むにつれてクロストークの影響の増大が懸念される。従って、クロストーク除去装置の性能としてもより高い性能が要求されることとなる。
【００１４】
上記の特開平３−４０２２５に開示されている光ディスク信号再生装置では、周波数特性変換器のタップ係数を更新するときに適応アルゴリズムを用いている。適応アルゴリズムではタップ係数が逐次、例えば１チャネルビット毎に得られることが特徴である。しかしその反面、プリアンブル信号長によっては十分なタップ係数値に収束しないという問題がある。言い換えると、十分なタップ係数値に収束するためには、プリアンブル信号長を長く取る必要があり、その分光ディスクのユーザデータの記録容量が低下してしまうという問題がある。
【００１５】
また、この光ディスク信号再生装置では、プリアンブル信号以外を再生しているときには、再生出力を二値化した信号をリファレンス信号の代わりに用いてタップ係数の更新を続行している。しかし、この方式では、プリアンブル信号以外信号領域において、タップ係数が最適値から劣化する方向に変化してしまい、クロストーク除去の性能が悪化してしまうという問題もある。
【００１６】
一方、上記の特開平９−３２０２００に開示されている記録情報再生装置の場合は、中央トラックからの信号の値が０近辺の領域のみを参照してクロストーク成分の除去を行なうので、中央トラックの取り得る全信号レベル領域におけるクロストーク成分の漏れ込み特性の変化に対応していない。したがって、十分にクロストーク成分を除去できないという問題があった。
【００１７】
そこで、本発明は、高密度化された光ディスク装置において、目標トラックを再生したときの再生信号に漏れ込むクロストーク成分を効率良く除去し、特にディスクがチルトした場合など、クロストークが急増したときに問題となる再生信号の信頼性の低下を抑制することができる光ディスク装置を提供することを目的とする。
【００１８】
【課題を解決するための手段】
上記の問題点を解決するために本発明の光ディスク装置は、光ディスク上の目標トラックとその両側隣接トラックの３トラックに光ビームを同時に照射し、その反射光を検出し前記３トラックに記録された情報を電気信号に変換し、再生信号として提供する再生手段と、前記再生手段から提供される前記３トラックの再生信号の周波数特性を各々補正し、トランスバーサルフィルタで構成された等化手段と、前記等化手段の補正特性を制御する制御手段と、前記等化手段による等化後の前記目標トラック再生信号から、等化後の両隣接トラック再生信号を減算する減算手段と、前記減算手段による減算後の信号から記録情報を復調する復調手段とを具備する。
【００１９】
前記制御手段は、前記トランスバーサルフィルタのタップ係数群を変化させることで前記等化手段の周波数特性を補正する回路であって、前記３トラックより再生された信号値系列を観測値系列として入力し、前記目標トラックより再生された信号値系列に対応した予め決められた信号値系列を理想値系列として有する。更に前記制御手段は、前記観測値系列と前記タップ係数群の関係式であって、前記タップ係数群の一次結合で表される関係式によって求まる測定値系列と、前記理想値系列との残差の複数チャネルビットに渡る二乗和が、最小となる条件を満たすタップ係数群を一括処理により求め、これをトランスバーサルフィルタのタップ係数とすることによりクロストーク成分を除去する。
【００２０】
前記制御手段は、前記タップ係数群の導出の際、前記目標トラックにおける既知の学習データ系列を複数チャネルビットに渡って再生した信号値系列を用いる。つまり、前記タップ係数群は前記学習データ系列再生信号のｍチャネルビットに渡る測定値系列及び理想値系列を用いた一括処理により求められる。
【００２１】
また、前記制御手段は、前記再生手段が前記目標トラックの前記学習データ系列と学習データ系列の中間を再生しているときには、直前の学習データ系列にて求めたタップ係数群の値を保持するように、前記等化手段を制御する。
前記学習データ系列としては、ユーザデータ中に含まれる同期コード、またはヘッダ領域に含まれるＩＤ、またはヘッダ領域に含まれるアドレスマークを用いることができる。
【００２２】
前記光ディスク上の学習データ系列の再生においては、目標トラックにのみ予め決められたデータが記録されており、その両隣接トラックには通常のユーザデータが記録されている。
【００２３】
前記光ディスク上に前記学習データ系列と同一のデータ系列が、クロストークが低減された状態で記録された理想値系列生成用データ領域を設け、該理想値系列生成用データ領域を再生したときの再生信号をサンプリングしたデータを、前記理想値系列として用いることができる。この学習データ系列はディスクのリードイン、リードアウト領域に設けることができる。
【００２４】
前記光ディスク上の学習データ領域のデータは、単一の周波数信号ではなく、ユーザデータの占有周波数帯域内の一定あるいは全帯域幅を占有するデータパターンである。
【００２５】
従って本発明によれば、高密度化された光ディスク装置において、目標トラックを再生したときの再生信号に漏れ込むクロストーク成分を効率良く除去し、特にディスクがチルトした場合など、クロストークが急増したときにおいても再生信号の信頼性を損なわない光ディスク装置を提供することができる。
【００２６】
【発明の実施の形態】
以下、図面を参照して本発明の実施形態を説明する。
【００２７】
図１は本発明の一実施形態にかかる光ディスク装置の構成を表す図である。
【００２８】
レーザ光源１より放射された光ビームはコリメートレンズ２で平行光となり、回折格子３に入射する。光ビームは回折格子３において回折されて０次光、および±１次光の３本のビームとなり、偏光ビームスプリッタ（以下ＰＢＳ）４、４分の１波長板５を透過し、対物レンズ６により光ディスク７の情報記録面に集光される。
【００２９】
集光されたビームは、図示しないフォーカスサーボ・トラッキングサーボ系により、記録面上に最良の微小スポットが得られる状態で維持されるように制御される。
【００３０】
このときの光ディスク記録面上でのビームスポットの配置の例を図２に示す。
【００３１】
３個のビームスポットのうちセンタビームが再生すべきデータが記録された目標トラック（トラックｎ）に照射され、その両隣接トラック（トラックｎ−１、トラックｎ＋１）に左および右ビームが照射される。
【００３２】
これらのビームスポットによる反射光は対物レンズ６を逆方向に透過し、再度平行光となる。
【００３３】
反射光は４分の１波長板５を透過し、入射光に対して垂直な偏光を持ち、ＰＢＳ４では反射される。ＰＢＳ４で反射されたビームは集光レンズ８により収束光となり、光検出器９に入射される。光検出器９は複数の領域に分割されており、３ビームによる信号は独立に検出される。このとき、センタビームによる反射光は光電変換されて信号Ｓｃとなり、左ビームおよび右ビームによる反射光は各々信号Ｓｌ、Ｓｒとなる。
【００３４】
信号Ｓｌ、Ｓｃ、Ｓｒは、それぞれ遅延回路１１、１２、１３に送られ、各ビームの照射位置のトラック走査方向の時間的ずれが補正される。すなわち、遅延回路１１、１２、１３通過後の信号は３ビームが互いに真横を走査した場合の信号となる。
【００３５】
したがって、光ディスク上で最も先行した位置を再生したビーム（図２では左ビーム）に対する遅延量は最も長く、最後方を再生したビーム（図２では右ビーム）に対する遅延量は最も短くなる。このとき、遅延回路１１〜１３のうち最も短い遅延量を与える遅延回路は省略しても構わない。
【００３６】
遅延回路１１、１２、１３で各々の位相ずれが補正された信号Ｓｌ′、Ｓｃ′、Ｓｒ′は波形等化回路１４、１５、１６で各々独立に周波数特性が補正される。波形等化回路１４、１５、１６は例えば５タップのトランスバーサルフィルタで構成される。すべての波形等化回路の等化特性はタップ係数演算回路１７からの制御信号、例えばタップ係数値により制御される。タップ係数演算回路１７は、波形等化回路１４、１５、１６からのタップ信号群を入力として、後述する手法によりセンタビームによる信号Ｓｃ′に含まれるクロストーク成分を効率良く除去するために、波形等化特性を制御する制御信号を波形等化回路１４、１５、１６に出力する。波形等化回路１４、１５、１６により周波数特性が適当に補正された信号Ｓｌ″、Ｓｃ″、Ｓｒ″は減算器１８においてＳｃ″からＳｌ″およびＳｒ″が減算されることによりクロストーク成分が除去され、信号ＳＥが得られる。信号ＳＥが復調回路１９にて所定のデータ復調動作が行なわれることによりユーザデータが生成される。
【００３７】
次に、クロストークキャンセラ２０の内部構成について詳細に説明する。
【００３８】
波形等化回路１４、１５、１６は、例えば図３のようなトランスバーサルフィルタからなる。この図では５タップのトランスバーサルフィルタを示すが、特にタップ数に理論的な制限はなく、タップ数が多い程詳細な周波数特性の補正が可能となる。ただしあまりタップ数が多いと回路規模が大きくなりコストアップにつながることになるので、設計の際には注意が必要である。
【００３９】
図３はセンタビームからの信号Ｓｃ′に対して適用されるトランスバーサルフィルタの例である。このトランスバーサルフィルタは、遅延回路３０と係数乗算器３５〜３９および加算器４０から構成される。図１の遅延回路１２からの信号Ｓｃ′は、遅延回路３０に入力される。遅延回路３０は複数段、この例では４段の単位遅延素子３１〜３４を縦続接続したものであり、複数個のタップＣ１〜Ｃ５を有する。各遅延素子は信号Ｓｃ′がアナログ信号である場合には例えばディレイラインによって構成される。デジタル信号である場合には例えばＤフリップフロップにて構成することが出来る。この例では全ての遅延素子はτの遅延時間をもつ素子であるが、各々異なる遅延時間を持たせることも可能である。
【００４０】
各タップＣ１〜Ｃ５からの出力信号は各々乗算器３５〜３９にて重み係数β１〜β５が乗じられた後、加算器４０にて足し合わされて、波形等化された信号Ｓｃ″が得られる。なお、タップ信号Ｃ１〜Ｃ５はタップ係数演算回路１７に出力されタップ係数の算出に用いられる。乗算器３５〜３９における係数は可変係数であり、各係数β１〜β５は、タップ係数演算回路１７により制御され、決定される。トランスバーサルフィルタの周波数応答は、そのタップ係数により自在に変化させることが可能である。本発明では、タップ係数演算回路１７が波形等化回路１４、１５、１６の等化特性を制御する。
【００４１】
なお、左及び右ビームからの信号Ｓｌ′、Ｓｒ′に対するトランスバーサルフィルタも基本的に図３と同一構成のものが適用され、各々タップ係数演算回路１７からタップ係数を制御されることにより隣接トラックからのクロストーク成分に対応した信号Ｓｌ″、Ｓｒ″が得られる。なお、Ｓｌ′、Ｓｒ′に対するトランスバーサルフィルタのみタップ数を７タップにするなどの仕様の変更は可能である。
【００４２】
次にタップ係数演算回路１７の内部構成を図４にて説明する。
【００４３】
タップ係数演算回路１７は理想値系列テーブル５２を有している。この理想値系列テーブル５２は、光ディスク７上の予め決められたデータが記録されている学習データ領域のデータパターンを、クロストークがない条件で再生したときの理想波形をサンプリングした理想値系列が記録されている。これは予め光ディスク装置メーカにおいて理想条件における再生波形を記憶させておいても良いし、光ディスク７上の例えばリードインエリアにクロストークが無い、すなわち両隣接トラックにマーク列が無いデータ領域に学習データパターンを記録しておき、そのデータ領域を再生したときの波形を理想値として取り込んで理想値系列テーブル５２に記録しても良い。
【００４４】
図５に学習データ領域のマーク列とそれに対応した理想値系列の例を示す。トラックｎの学習データ領域の特定パターンに対応した理想的な再生信号を、例えば１チャネルビット毎にサンプリングして離散データとしてｍチャネルビット分のデータを保有する。この場合は１チャネルビット辺り８ｂｉｔの分解能とすると、理想値系列保存用にメモリ５１上のｍ×８ｂｉｔ分の領域を占有する。
【００４５】
一方、タップ係数演算回路１７は、光ディスク７上の学習データ領域を再生した際の、波形等化回路１４、１５、１６からのタップ信号Ｌ１〜Ｌ５、Ｃ１〜Ｃ５、Ｒ１〜Ｒ５を観測値としてメモリ５１に蓄積する。このとき、５×３＝１５タップによるタップ信号を理想値系列のサンプリング周期と同一周期、例えば１チャネルビット毎にサンプリングする。データ長も理想値系列長と同じく、例えばｍチャネルビット分のデータをメモリ５１に蓄える。この場合は１チャネルビット辺り８ｂｉｔの分解能とすると、１５×ｍ×８ｂｉｔ分のメモリ５１上の領域を３ビームにより再生信号系列用に必要とする。
【００４６】
以上の例ではｍ＝１０００とすると、理想値系列と再生信号値系列用に合わせて１２８Ｋｂｉｔの容量をメモリ５１上に占有することになる。
【００４７】
こうして、学習データ領域を再生した後では、例えば学習データ領域のデータ長がｍチャネルビットであるとすると、ｍチャネルビット分の３ビーム再生信号値（観測値）系列（１５×ｍ）と、理想値系列テーブル５２からの理想値系列（１×ｍ）がメモリ５１に蓄えられることになる。
【００４８】
さて、ここでタップ係数演算回路１７にタイミング信号を送信するタイミング検出回路２１の動作について説明する。タイミング検出回路２１は、センタビームによる再生信号Ｓｃ′をモニタし、学習データ領域の終了部を検出し、そのタイミング信号をタップ係数演算回路１７内部のバス５４に送信する。学習データ領域は既知のデータを記録しておくので、その終了部を検出するのは可能である。マイコン５３は、バス５４よりタイミング信号を検出し、学習データ領域の再生終了と同時に、以下に詳述するような線形最小二乗法アルゴリズムにより、タップ係数を乗じた観測値系列と理想値系列との残差の二乗和が最も少なくなるような、すなわち観測値系列が理想値系列に最も近付くようなタップ係数の最適解を求めて出力する。
【００４９】
マイコン５３では、タイミング検出回路２１からのタイミング信号が検出される毎にタップ係数の演算を行なって、タップ係数を更新する。また、タイミング信号とタイミング信号の間では、前回の演算結果のタップ係数群の値をホールドして出力する。すなわち、ある学習データ領域から次の学習データ領域までの間のユーザデータを再生している時には、直前の学習データ領域で計算したタップ係数値をホールドして、波形等化回路１４、１５、１６に出力しておくのである。これは、学習データ領域以外においては理想値系列が得られないためであり、例えばユーザデータを二値化した結果を理想値系列として仮に設定しても、結果としてクロストークキャンセルに十分有効なタップ係数値が求まらないからである。つまり、未知のユーザデータを再生しているときには、学習データ領域で求めたタップ係数値をホールドしておいた方が良好な結果が得られることになるため、このような構成とする。
【００５０】
さて、線形最小二乗法によるタップ係数の決定には、まず観測値系列と未知数系列（この場合タップ係数）との関係式ｆから、各チャネルビット毎に測定値ｙを求める。このとき関係式ｆは未知数についての一次結合であればどのような式でもよいが、図３のようなトランスバーサルフィルタを考えた場合、関係式は各タップに重み付けのタップ係数を乗算した式、
【００５１】
【数１】
0003866471.tif 000002
【００５２】
のように表される。ここで、ｑi1〜ｑi15はｉ番目のチャネルビットにおける観測値、すなわちタップ信号Ｌ１〜Ｌ５、Ｃ１〜Ｃ５、Ｒ１〜Ｒ５である。またｘ1〜ｘ15が未知数、すなわちタップ係数α１〜α５、β１〜β５、γ１〜γ５である。
【００５３】
【数２】
0003866471.tif 000003
【００５４】
（２）が各パラメータｘjに関して最小となるためにはその微分が０となればよい。
【００５５】
【数３】
0003866471.tif 000004
【００５６】
これを未知パラメータｘj′（ｊ′＝１〜１５）に関して整理すると、
【００５７】
【数４】
0003866471.tif 000005
【００５８】
となる。これは、次のような連立一次方程式である。
【００５９】
【数５】
0003866471.tif 000006
【００６０】
ただし、
【００６１】
【数６】
0003866471.tif 000007
【００６２】
であり、これらはすべて既知の量で表される定数である。よって、式（２）に基づく最小二乗条件を満たすタップ係数は、上の連立一次方程式を解くことによって求まる。すなわち、
【００６３】
【数７】
0003866471.tif 000008
【００６４】
によって求めたタップ係数を記述することができる。
【００６５】
したがって、マイコン５３では、メモリ５１上の観測値系列および理想値系列から上述のような連立方程式の解を求める問題を解くことによりタップ係数の最適解を求めることができる。
【００６６】
このように、複数チャネルビット（ｍビット）に渡る観測値系列と理想値系列を用いて一括処理によりタップ係数を求めることにより、従来の適応アルゴリズムを用いた場合に比べて、タップ係数の最適値への収束性が向上する。例として、最小二乗法の解法アルゴリズムによるタップ係数の収束性の違いを表したグラフを図６に示す。
【００６７】
横軸がタップ係数の計算に用いる信号系列の長さ（チャネルビット数）、縦軸がタップ係数値である。理論的には信号系列長が無限大の場合には両者は同じ値に収束する。
【００６８】
図６より本発明による一括処理アルゴリズムの方が、従来の適応アルゴリズムよりも少ない信号系列長で収束値（この場合約１．７５）に近付くことが分かる。したがって、一括処理アルゴリズムを用いた方が、適応アルゴリズムに比べて学習データ系列の長さを短くしても十分な性能が得られることになる。すなわち、学習データ系列によるユーザデータ容量の低下が抑えられ、実質的な容量向上につながる。
【００６９】
こうして求まったタップ係数を波形等化回路１４、１５、１６の各タップに適用することにより学習データ領域のデータがクロストークのない場合の波形理想値に近付くように等化係数が調整される。すなわちクロストーク成分が除去されることになるのである。
【００７０】
以上詳述したような本発明によるタップ係数の最適化は、学習データ領域のトラックに特定周波数信号を記録し、目標トラックの再生信号に漏れ込む周波数成分を分析してクロストーク成分を漏れ込み量を抽出する公知の方式とは異なり、学習データパターンに特に制限はない。したがって、学習データパターンには通常のユーザデータに現われるパターンと同等のものを用いることが出来る。このように学習データパターンにユーザデータと同等のランダムデータを用いることにより、目標トラックの信号と隣接トラック信号それぞれの信号レベル変動を含む相関をランダムに加味することになり、目標トラックからの信号が０近辺のときのみを参照してクロストーク成分の除去を行なう従来の方式と比べると、よりきめ細かいクロストーク成分の除去が可能となる。
【００７１】
また、学習データ領域は目標トラックにのみ既知データが記録されていればよく、両隣接トラックには通常のユーザデータが記録されていても構わない。つまり、両隣接トラックにも既知データを記録しておく必要があるような上記公知の方式にくらべて学習データ領域の容量が低減し、ディスク全体のユーザデータ領域が増加することになる。
【００７２】
また、学習データ領域はクロストークキャンセラのために光ディスク７上の一定の領域に設定することが考えられるが、例えばＤＶＤの通常のユーザデータ中に含まれる同期パターン（ＳＹＮＣコード）を学習データとして用いることもできる。ＤＶＤでは、２ＫＢで１セクタを構成しているが、この１セクタ中に２６×３２ｂｉｔのＳＹＮＣコードが存在する。ＳＹＮＣコードには予め決められた１６種のパターンが繰り返し用いられているため、これらすべてのパターンに対する理想値系列を予め用意しておくことで、ＳＹＮＣコード自体をタップ係数の最適化のための学習データとして利用できる。こうすることで、クロストークキャンセラのための新たなデータ領域を必要としないため、ユーザ記憶容量の低下を伴うことなくクロストークキャンセラを実現できることになる。
【００７３】
また、学習データには、例えばＤＶＤ−ＲＡＭのヘッダ領域に含まれるＩＤコードやアドレスマークを用いることも出来る。
【００７４】
また、学習データ領域は、ディスクのユーザデータ領域中に一定間隔（例えば１セクタ）を隔てて設置してもよいしディスクの最内周のリードインエリアと最外周のリードアウトエリアにのみ設けておいてもよい。
【００７５】
【発明の効果】
以上詳述したように本発明によれば、高密度化された光ディスク装置において、光ディスク上の予め決められたデータが記録された学習データ領域において３ビームにより再生された信号と、この学習データに対応した理想値系列から、３ビーム再生信号に対する波形等化回路のタップ係数を最小二乗法を用いて一括処理にて最適化することにより、目標トラックを再生したときの再生信号に漏れ込むクロストーク成分を効率良く除去し、特にディスクがチルトした場合など、クロストークが急増したときにおいても再生信号の信頼性を損なわない光ディスク装置を提供することができる。
【図面の簡単な説明】
【図１】本発明の光ディスク装置の全体構成を表すブロック図。
【図２】光ディスク上での３ビームの配置を表す図。
【図３】本発明の波形等化回路の構成を表す図。
【図４】タップ係数演算回路の構成を表すブロック図。
【図５】学習データ領域の理想値系列を表す図。
【図６】従来の適応アルゴリズムと本発明の一括処理によるタップ係数値の収束性の違いを表す図。
【符号の説明】
１…レーザ光源
２…コリメートレンズ
３…回折格子
４…偏光ビームスプリッタ
５…４分の１波長板
６…対物レンズ
７…光ディスク
８…集光レンズ
９…光検出器
１１〜１３…遅延回路
１４〜１６…波形等化回路
１７…タップ係数演算回路
【図１】
0003866471.tif 000009
【図２】
0003866471.tif 000010
【図３】
0003866471.tif 000011
【図４】
0003866471.tif 000012
【図５】
0003866471.tif 000013
【図６】
0003866471.tif 000014